(57)【要約】【課題】現在トイレを使用していない時または寒冷地おいて、便座を暖めるために暖房の電源が入っており電気使用量が多く、省エネもなしていないため節電する装置を提供することを目的とする。【解決手段】便座着座部内に流体通路を設置し温水により瞬間で効率的に着座部を加熱し温水が流体通路に残らず、使用時間が長くなっても冷めない便座暖房で節電ができる。【選択図】図１
2011056222.tif 000002
【特許請求の範囲】
【請求項１】
洋式トイレ便座本体内部の全周にわたり中空で扁平状の流体通路を有し加熱流体が連通循環するようになっていることを特徴とする洋式トイレ便座。
【請求項２】
請求項１において、中空で扁平状の流体通路が使用者の加重圧力により変形しないことを特徴とする洋式トイレ便座。
【請求項３】
請求項１において、加熱流体が流体通路を循環したあとに流体が流体通路に残らないこと特徴とする洋式トイレ便座。
【請求項４】
電気ヒーターを便座本体内部に敷設することで補助的に便座を暖房できることを特徴とする洋式トイレ便座。
【発明の詳細な説明】
【技術分野】
【０００１】  本発明は洋式トイレ便座を温める時に使う電気代の節電を確実かつ効率的に行うことができる洋式トイレ便座に関するものである。
【背景技術】
【０００２】  便座を暖める方式では、電気を常時使用しヒーターで便座を暖めていたが、最近の便座は使用時、急速に電気ヒーターで暖める物や温水式の便座暖房などがある。
【先行技術文献】
【特許文献】
【０００３】
【特許文献】特開２００３−１５３８２６号  公報
【発明の概要】
【発明が解決しようとする課題】
【０００４】  従来の便座ヒーターは未使用時も便座を暖めているためヒーターの電源が入っている。そのため電気を常時使用しているため電気代が無駄になっている。また未使用時には電源が切れるタイプの便座は、使用時、急速にヒーターで便座を暖めるため電気消費量が多い、さらに寒冷地及び冬期では室内の温度が低いため急速に便座を暖める事ができないため、便座を所定の温度を保つように電気ヒーターの電源が入っており節電の改良が必要である。【０００５】  以上の通りの事情に鑑みて、本発明は従来の問題点を解消し節電を実現できる洋式トイレ便座を提供することを課題とするものである。
【課題を解決するための手段】
【０００６】  上記問題点を解決するために、請求項１に記載の発明は、便座内部に中空で扁平状に形成された流体通路７が便座全周に亘り敷設されている。その流体通路７を加熱流体が連通循環することで温度が均一に上昇し便座温度が万編なく暖められることを要旨とする。【０００７】  請求項２に記載の発明は請求項１において、中空で扁平状に形成されている流体通路７に人体による加重が加圧されると変形を起こす可能性があり、流体の循環を妨げる恐れがあるため中空状に形成された流体通路７に変形を防止するための柱１１が設置されていることを要旨とする。【０００８】  請求項３に記載の発明は請求項１において全周に亘り流体通路７が敷設され加熱流体が万編なく連通循環するが、流体通路内に加熱流体が残った場合、加熱流体は時間とともに流体通路内で冷めてしまい次に使用する時、加熱流体と冷めた流体が混ざることで暖房時間を有してしまうため、流体通路７は加熱流体取入れ口の給入口８より上部側に形成され加熱流体排出口９に向かい螺旋状に傾斜が付いており、また排水管５も密閉沸騰保温型貯湯タンク２に向かい傾斜が付いていることで循環ポンプが停止しても加熱流体は自然に流体通路７から排出され残らないよう形成していることを要旨とする。【０００９】  請求項４に記載の発明は加熱流体で便座が暖められた後、使用時間が長くなると便座温度が徐々に下がるため、使用者が便座に着座している間に所定の温度まで下がった場合、補助的に電気ヒーターの電源が入り暖房することを要旨とする。
【発明の効果】
【００１０】  未使用時ならび寒冷地での無駄な便座暖房時間を無くし、便座加熱時間を短縮したことで節電できる洋式トイレ便座を提供できる。
【図面の簡単な説明】
【００１１】
【図１】本発明の実施形態を示す洋式トイレ便座本体の一部を断面とした全体の外観図
【図２】図３の便座部分におけるＡ−Ａ線断面図である。
【図３】便座を示す１部破断した側面図である。
【図４】図３の便座部分におけるＢ−Ｂ線断面図である。
【図５】図４における一部拡大図
【図６】図１におけるＣ−Ｃ線断面図である
【図７】図１内の密閉沸騰保温型貯湯タンク２内部図である。
【発明を実施するための形態】
【００１２】  以下、本発明の実施の形態を図１〜図７に基づいて説明する。
図１に示されるように本発明は本体１と便座本体６において便座暖房を実施しており、本体１内部には密閉沸騰保温型貯湯タンク２、循環ポンプ３、給水管４、排水管５、図６に記載の電気制御装置１６が設置されており便座本体６内には流体通路７が敷設されており、人感センサー１７が人の入室を感知すると密閉沸騰保温型貯湯タンク２内に貯湯してある加熱流体が循環ポンプ３より給水管４を経由、流体通路７に給湯することで便座本体６を暖房し配水管５より密閉沸騰保温型貯湯タンク２に加熱流体が戻る。
【００１３】  図１と図２に示すように便座本体６には全周に亘り熱効率が良い金属で形成された中空で扁平状の流体通路７が敷設されていることで、全周を満遍なく暖房するよう形成され循環ポンプ３が作動することで急速に加熱流体が給水管４、給入口８、流体通路７、排出口９、排水管５を経由し循環するようになっており、温度センサー１２が所定温度に達したときに循環ポンプ３が停止する。循環ポンプ３が停止しても流体通路７内には加熱流体が残らないよう形成されている。
【００１４】  図２と図３に示すように、使用者が着座する前に加熱流体で加熱された便座本体６は、使用者が着座することで図３に記載の加重センサー付便器接着部１４が感知し、使用時間が長いとき温度センサー１２が便座本体６の温度が下がっているか常に計測し所定温度以下になると図６の電気制御装置１６が補助的に電気ヒーター１０の電源を入れ使用者が着座している間温度を保つよう設定され使用者が立つと加重センサー付便器接着部１４が人の着座を感知しなくなること及び設定温度まで温度が上昇すると電気ヒーター１０の電気供給が止まるよう設定されている。
【００１５】  図３に示すように便座本体６内にある流体通路７の給入口８側は給入口８より上部側に流体通路７が敷設されており、給入口８側より流体通路７が螺旋状に排出口９手前まで傾斜を形成している。
【００１６】  図４の便座本体６の断面で示すように流体通路７は給入口より上部側に敷設され排出口に向かい流体通路７底部が螺旋状に形成され循環ポンプが停止しても加熱流体が自然に流出し残らないよう形成されている。また温度センサー１２は排出口９側手前に設置されている。
【００１７】  図５は図４の一部拡大であり流体通路７は扁平状の中空状であるため、使用者の体重や使用状況により変形する恐れがあるため、変形を防止するため柱１１が設置されている。また流体通路７の上部には熱効率の高い漏電防止板１５が密着しており、さらに上部には電気ヒーター１０が敷設されており仮に流体通路７から加熱流体が漏れても漏電防止板１５により電気ヒーター１０がショートしない構造になっている。
【００１８】  図６に示すように本体１内には密閉沸騰保温型貯湯タンク２が排水管５より低い位置に設置されており循環ポンプ３が停止しても流体通路７に残っている加熱流体が自然に密閉沸騰保温型貯湯タンク２に戻り流体通路７内が空の状態になるように形成されている。また電気ヒーターの制御をするため電気制御装置を設置している。
【００１９】  図７に示すように密閉沸騰保温型貯湯タンク２は加熱流体を設定温度まで加熱し使用されるまで保温状態でいるが、排水管５と接続している部分が開放していると温度が逃げ冷めてしまうため密閉蓋１９を設置することで保温力を高めている。また、密閉蓋１９には浮玉１８が接続されており、加熱流体が流体通路７から密閉沸騰保温型貯湯タンク２に戻りきると浮玉１８が浮上し密閉蓋１９が閉まり、加熱流体が循環すると浮玉１８が下がり密閉蓋１９が開放する構造になっている。
【符号の説明】１…本体、２…密閉沸騰保温型貯湯タンク、３…循環ポンプ、６…便座本体、７…流体通路、１０…電気ヒーター、１１…柱、１２…温度センサー、１３…便器接着部、１４…加重センサー付便器接着部、１５…漏電防止板、１６…電気制御装置、１７…人感センサー
【図１】
2011056222.tif 000003
【図２】
2011056222.tif 000004
【図３】
2011056222.tif 000005
【図４】
2011056222.tif 000006
【図５】
2011056222.tif 000007
【図６】
2011056222.tif 000008
【図７】
2011056222.tif 000009